(57)【要約】【課題】適正なタイミングで電源を遮断する。【解決手段】デジタル放送受信機のＲＡＭ１２は、番組情報を格納する番組記憶部１２１を備え、ＭＰＵ１１は、チャンネル毎に受信可能な番組の開始時刻、終了時刻を含む番組情報を取得する番組取得部１１１と、リモコン２を介して操作入力を受け付けて、受け付けられた操作入力に基づいて、ディスプレイ１８３に出力するべく選択されているチャンネルにおいて放送中の番組の終了時刻を、番組記憶部１２１から読み出すことによって取得する時刻取得部１１３と、取得された終了時刻に到達したか否かを判定し、終了時刻に到達したと判定された場合に、該デジタル放送受信機の電源を遮断する第１遮断部１１４と、を備えている。【選択図】図３
2008141458.tif 000002
【特許請求の範囲】
【請求項１】
テレビジョン放送を受信し、外部から視認可能にモニタに出力可能に構成されると共に、複数のキーが配設され、外部からの操作入力を受け付けるリモートコントローラと通信可能に接続された放送受信装置であって、
チャンネル毎に受信可能な番組の開始時刻、終了時刻を含む番組情報を取得する番組取得手段と、
前記番組取得手段によって取得された番組情報を格納する番組記憶手段と、
外部からの操作入力を受け付けて、受け付けられた操作入力に基づいて、モニタに出力するべく選択されたチャンネルが変更されたか否かを判定する変更判定手段と、
外部からの操作入力を受け付けて、受け付けられた操作入力に基づいて、モニタに出力するべく選択されているチャンネルにおいて放送中の番組の終了時刻を、前記番組記憶手段から読み出すことによって取得すると共に、前記変更判定手段によってチャンネルが変更されたと判定される度に、変更後のチャンネルにおいて放送中の番組の終了時刻を、前記番組記憶手段から読み出すことによって取得する時刻取得手段と、
前記時刻取得手段によって取得された終了時刻に到達したか否かを判定し、終了時刻に到達したと判定された場合に、該放送受信装置の電源を遮断する第１電源遮断手段と、
複数の時間情報を格納する時間記憶手段と、
前記リモートコントローラに配設された特定のキーである第２キーに対応する操作信号を受け付ける度に、前記時間記憶手段に格納された複数の時間情報の中から、順次１の時間情報を読み出し、読み出された１の時間に電源を遮断する時間である遮断時間を設定するタイマ設定手段と、
前記タイマ設定手段によって設定された遮断時間が経過したか否かを判定し、前記遮断時間が経過したと判定された場合に、該放送受信装置の電源を遮断する第２電源遮断手段と、
前記リモートコントローラに配設された特定のキーである第１キーに対応する操作信号を受け付ける度に、前記第１電源遮断手段及び第２電源遮断手段の動作を禁止する状態、前記第１電源遮断手段の動作を禁止する状態、及び、前記第２電源遮断手段の動作を禁止する状態、の３つの状態間を順次遷移させるべく、前記第１電源遮断手段及び第２電源遮断手段を指示する禁止手段と、
前記禁止手段が、前記第１電源遮断手段及び第２電源遮断手段の動作を禁止する状態、前記第１電源遮断手段の動作を禁止する状態、及び、前記第２電源遮断手段の動作を禁止する状態、の３つの状態の内、どの状態であるかをモニタに表示する表示制御手段と、
を備え、
前記第１キー及び第２キーが、前記リモートコントローラに配設された１のキーに設定されていることを特徴とする放送受信装置。
【請求項２】
テレビジョン放送を受信し、外部から視認可能にモニタに出力可能に構成された放送受信装置であって、
チャンネル毎に受信可能な番組の開始時刻、終了時刻を含む番組情報を取得する番組取得手段と、
前記番組取得手段によって取得された番組情報を格納する番組記憶手段と、
外部からの操作入力を受け付けて、受け付けられた操作入力に基づいて、モニタに出力するべく選択されているチャンネルにおいて放送中の番組の終了時刻を、前記番組記憶手段から読み出すことによって取得する時刻取得手段と、
前記時刻取得手段によって取得された終了時刻に到達したか否かを判定し、終了時刻に到達したと判定された場合に、該放送受信装置の電源を遮断する第１電源遮断手段と、
を備えることを特徴とする放送受信装置。
【請求項３】
外部からの操作入力を受け付けて、受け付けられた操作入力に基づいて、モニタに出力するべく選択されたチャンネルが変更されたか否かを判定する変更判定手段を備え、
前記時刻取得手段は、前記変更判定手段によってチャンネルが変更されたと判定される度に、変更後のチャンネルにおいて放送中の番組の終了時刻を取得することを特徴とする請求項２に記載の放送受信装置。
【請求項４】
予め設定された遮断時間が経過したか否かを判定し、前記遮断時間が経過したと判定された場合に、該放送受信装置の電源を遮断する第２電源遮断手段と、
外部からの操作入力を受け付けて、受け付けられた操作入力に基づいて、前記第１電源遮断手段及び第２電源遮断手段の少なくともいずれか一方の動作を禁止する禁止手段と、
を備えることを特徴とする請求項２又は請求項３に記載の放送受信装置。
【請求項５】
複数のキーが配設され、外部からの操作入力を受け付けるリモートコントローラと通信可能に接続され、
前記禁止手段は、前記リモートコントローラに配設された特定のキーである第１キーに対応する操作信号を受け付ける度に、前記第１電源遮断手段及び第２電源遮断手段の動作を禁止する状態、前記第１電源遮断手段の動作を禁止する状態、及び、前記第２電源遮断手段の動作を禁止する状態、の３つの状態間を順次遷移させるべく、前記第１電源遮断手段及び第２電源遮断手段を指示することを特徴とする請求項４に記載の放送受信装置。
【請求項６】
前記禁止手段が、前記第１電源遮断手段及び第２電源遮断手段の動作を禁止する状態、前記第１電源遮断手段の動作を禁止する状態、及び、前記第２電源遮断手段の動作を禁止する状態、の３つの状態の内、どの状態であるかをモニタに表示する表示制御手段を備えることを特徴とする請求項５に記載の放送受信装置。
【請求項７】
外部からの操作入力を受け付けて、受け付けられた操作入力に基づいて、前記遮断時間を設定するタイマ設定手段を備えることを特徴とする請求項４〜請求項６のいずれかに記載の放送受信装置。
【請求項８】
複数の時間情報を格納する時間記憶手段を備え、
前記タイマ設定手段は、前記リモートコントローラに配設された特定のキーである第２キーに対応する操作信号を受け付ける度に、前記時間記憶手段に格納された複数の時間情報の中から、順次１の時間情報を読み出し、読み出された１の時間に前記遮断時間を設定することを特徴とする請求項７に記載の放送受信装置。
【請求項９】
前記第１キー及び第２キーは、前記リモートコントローラに配設された１のキーに設定されていることを特徴とする請求項８に記載の放送受信装置。
【発明の詳細な説明】
【技術分野】
【０００１】
本発明は、テレビジョン放送を受信し、外部から視認可能にモニタに出力可能に構成された放送受信装置に関する。特に、複数のキーが配設され、外部からの操作入力を受け付けるリモートコントローラと通信可能に接続されると共に、番組情報を受信可能に構成されたデジタル放送受信機に関する。
【背景技術】
【０００２】
従来、テレビジョン放送を受信し、外部から視認可能にモニタに出力可能に構成された放送受信装置では、ユーザが、電源ＯＦＦ操作をすることによって電源を遮断していた。しかしながら、テレビジョン放送を視聴中にユーザが眠ってしまう場合、又は、急用等が発生して、放送受信装置をＯＮ状態としたまま外出してしまう場合等があり、電力が浪費されることがあった。
【０００３】
この課題を解消するために、種々の装置が提案されている。例えば、予め設定された所定時刻（例えば、午後１１時）から計時を開始し、リモートコントローラ等を介して操作信号が所定期間（例えば、３０分間）以上継続して受け付けられない場合に、電源を遮断するテレビジョン受像機が開示されている（特許文献１参照）。
【特許文献１】特開平４−３５４２０９号公報
【発明の開示】
【発明が解決しようとする課題】
【０００４】
しかしながら、上記テレビジョン受像機では、ユーザが視聴中の番組が終了しない状態で、電源が遮断される場合があった。また、ユーザは、予め設定された時刻（例えば、午後１１時）に電源を遮断する設定としていたが、他のチャンネルで放送されている番組の視聴を開始し、その番組が終了時に電源を遮断する設定への変更を所望する場合があった。このような場合に、上記テレビジョン受像機では、電源が遮断される時刻を再度設定する必要があり、利便性が充分ではない場合があった。
【０００５】
本発明は、上記課題に鑑みてなされたものであって、適正なタイミングで電源を遮断することの可能な放送受信装置を提供することを目的としている。
【課題を解決するための手段】
【０００６】
上記目的を達成するために請求項１に記載の放送受信装置は、テレビジョン放送を受信し、外部から視認可能にモニタに出力可能に構成されると共に、複数のキーが配設され、外部からの操作入力を受け付けるリモートコントローラと通信可能に接続された放送受信装置であって、チャンネル毎に受信可能な番組の開始時刻、終了時刻を含む番組情報を取得する番組取得手段と、前記番組取得手段によって取得された番組情報を格納する番組記憶手段と、外部からの操作入力を受け付けて、受け付けられた操作入力に基づいて、モニタに出力するべく選択されたチャンネルが変更されたか否かを判定する変更判定手段と、外部からの操作入力を受け付けて、受け付けられた操作入力に基づいて、モニタに出力するべく選択されているチャンネルにおいて放送中の番組の終了時刻を、前記番組記憶手段から読み出すことによって取得すると共に、前記変更判定手段によってチャンネルが変更されたと判定される度に、変更後のチャンネルにおいて放送中の番組の終了時刻を、前記番組記憶手段から読み出すことによって取得する時刻取得手段と、前記時刻取得手段によって取得された終了時刻に到達したか否かを判定し、終了時刻に到達したと判定された場合に、該放送受信装置の電源を遮断する第１電源遮断手段と、複数の時間情報を格納する時間記憶手段と、前記リモートコントローラに配設された特定のキーである第２キーに対応する操作信号を受け付ける度に、前記時間記憶手段に格納された複数の時間情報の中から、順次１の時間情報を読み出し、読み出された１の時間に電源を遮断する時間である遮断時間を設定するタイマ設定手段と、前記タイマ設定手段によって設定された遮断時間が経過したか否かを判定し、前記遮断時間が経過したと判定された場合に、該放送受信装置の電源を遮断する第２電源遮断手段と、前記リモートコントローラに配設された特定のキーである第１キーに対応する操作信号を受け付ける度に、前記第１電源遮断手段及び第２電源遮断手段の動作を禁止する状態、前記第１電源遮断手段の動作を禁止する状態、及び、前記第２電源遮断手段の動作を禁止する状態、の３つの状態間を順次遷移させるべく、前記第１電源遮断手段及び第２電源遮断手段を指示する禁止手段と、前記禁止手段が、前記第１電源遮断手段及び第２電源遮断手段の動作を禁止する状態、前記第１電源遮断手段の動作を禁止する状態、及び、前記第２電源遮断手段の動作を禁止する状態、の３つの状態の内、どの状態であるかをモニタに表示する表示制御手段と、を備え、前記第１キー及び第２キーは、前記リモートコントローラに配設された１のキーに設定されていることを特徴としている。
【０００７】
請求項２に記載の放送受信装置は、テレビジョン放送を受信し、外部から視認可能にモニタに出力可能に構成された放送受信装置であって、チャンネル毎に受信可能な番組の開始時刻、終了時刻を含む番組情報を取得する番組取得手段と、前記番組取得手段によって取得された番組情報を格納する番組記憶手段と、外部からの操作入力を受け付けて、受け付けられた操作入力に基づいて、モニタに出力するべく選択されているチャンネルにおいて放送中の番組の終了時刻を、前記番組記憶手段から読み出すことによって取得する時刻取得手段と、前記時刻取得手段によって取得された終了時刻に到達したか否かを判定し、終了時刻に到達したと判定された場合に、該放送受信装置の電源を遮断する第１電源遮断手段と、を備えることを特徴としている。
【０００８】
請求項３に記載の放送受信装置は、請求項２に記載の放送受信装置であって、外部からの操作入力を受け付けて、受け付けられた操作入力に基づいて、モニタに出力するべく選択されたチャンネルが変更されたか否かを判定する変更判定手段を備え、前記時刻取得手段が、前記変更判定手段によってチャンネルが変更されたと判定される度に、変更後のチャンネルにおいて放送中の番組の終了時刻を取得することを特徴としている。
【０００９】
請求項４に記載の放送受信装置は、請求項２又は請求項３に記載の放送受信装置であって、予め設定された遮断時間が経過したか否かを判定し、前記遮断時間が経過したと判定された場合に、該放送受信装置の電源を遮断する第２電源遮断手段と、外部からの操作入力を受け付けて、受け付けられた操作入力に基づいて、前記第１電源遮断手段及び第２電源遮断手段の少なくともいずれか一方の動作を禁止する禁止手段と、を備えることを特徴としている。
【００１０】
請求項５に記載の放送受信装置は、請求項４に記載の放送受信装置であって、複数のキーが配設され、外部からの操作入力を受け付けるリモートコントローラと通信可能に接続され、前記禁止手段が、前記リモートコントローラに配設された特定のキーである第１キーに対応する操作信号を受け付ける度に、前記第１電源遮断手段及び第２電源遮断手段の動作を禁止する状態、前記第１電源遮断手段の動作を禁止する状態、及び、前記第２電源遮断手段の動作を禁止する状態、の３つの状態間を順次遷移させるべく、前記第１電源遮断手段及び第２電源遮断手段を指示することを特徴としている。
【００１１】
請求項６に記載の放送受信装置は、請求項５に記載の放送受信装置であって、前記禁止手段が、前記第１電源遮断手段及び第２電源遮断手段の動作を禁止する状態、前記第１電源遮断手段の動作を禁止する状態、及び、前記第２電源遮断手段の動作を禁止する状態、の３つの状態の内、どの状態であるかをモニタに表示する表示制御手段を備えることを特徴としている。
【００１２】
請求項７に記載の放送受信装置は、請求項４〜請求項６のいずれかに記載の放送受信装置であって、外部からの操作入力を受け付けて、受け付けられた操作入力に基づいて、前記遮断時間を設定するタイマ設定手段を備えることを特徴としている。
【００１３】
請求項８に記載の放送受信装置は、請求項７に記載の放送受信装置であって、複数の時間情報を格納する時間記憶手段を備え、前記タイマ設定手段が、前記リモートコントローラに配設された特定のキーである第２キーに対応する操作信号を受け付ける度に、前記時間記憶手段に格納された複数の時間情報の中から、順次１の時間情報を読み出し、読み出された１の時間に前記遮断時間を設定することを特徴としている。
【００１４】
請求項９に記載の放送受信装置は、請求項８に記載の放送受信装置であって、前記第１キー及び第２キーが、前記リモートコントローラに配設された１のキーに設定されていることを特徴としている。
【発明の効果】
【００１５】
請求項１に記載の放送受信装置によれば、チャンネル毎に受信可能な番組の開始時刻、終了時刻を含む番組情報が取得され、取得された番組情報が番組記憶手段に格納される。そして、外部からの操作入力が受け付けられて、受け付けられた操作入力に基づいて、モニタに出力するべく選択されているチャンネルにおいて放送中の番組の終了時刻に到達したか否かが判定され、終了時刻に到達したと判定された場合に、該放送受信装置の電源が遮断されるため、適正なタイミングで電源を遮断することができる。
【００１６】
すなわち、モニタに出力するべく選択されているチャンネルにおいて放送中の番組の終了時刻に到達したか否かが判定され、終了時刻に到達したと判定された場合に、該放送受信装置の電源が遮断されるため、視聴中の番組の終了時刻に電源が遮断されるので、適正なタイミングで電源を遮断することができるのである。
【００１７】
また、チャンネルが変更されたと判定される度に、変更後のチャンネルにおいて放送中の番組の終了時刻が取得され、その終了時刻に到達したと判定された場合に、該放送受信装置の電源が遮断されるため、適正なタイミングで電源を遮断することができる。
【００１８】
すなわち、チャンネルが変更された場合であっても、変更後のチャンネルにおいて放送中の番組の終了時刻が取得され、その終了時刻に到達したと判定された場合に、該放送受信装置の電源が遮断されるので、適正なタイミングで電源を遮断することができるのである。
【００１９】
更に、予め設定された遮断時間が経過したか否かが判定され、遮断時間が経過したと判定された場合に、該放送受信装置の電源を遮断する機能を有し、外部からの操作入力が受け付けて、受け付けられた操作入力に基づいて、放送中の番組の終了時刻に電源を遮断する機能、及び、遮断時間が経過した場合に電源を遮断する機能の少なくともいずれか一方の機能の動作が禁止されるため、更に適正なタイミングで電源を遮断することができる。
【００２０】
すなわち、放送中の番組の終了時刻に電源を遮断する機能、及び、遮断時間が経過した場合に電源を遮断する機能の少なくともいずれか一方の機能の動作が禁止されるため、ユーザの所望するタイミングで電源を遮断することが可能となるので、更に適正なタイミングで電源を遮断することができるのである。
【００２１】
例えば、視聴者が子供である場合に、親等が予め設定された遮断時間の経過後に電源を遮断したい場合には、遮断時間が経過した場合に電源を遮断する機能を禁止しない設定（＝放送中の番組の終了時刻に電源を遮断する機能のみを禁止する設定）としておくことができる。また、視聴者が自らの操作入力で電源を遮断することを所望する場合には、放送中の番組の終了時刻に電源を遮断する機能、及び、遮断時間が経過した場合に電源を遮断する機能の両方の動作を禁止しておくことができる。
【００２２】
加えて、リモートコントローラに配設された特定のキーである第１キーに対応する操作信号が受け付けられる度に、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態間を順次遷移されるため、利便性良好に且つ適正なタイミングで電源を遮断することができる。
【００２３】
すなわち、ユーザは、リモートコントローラに配設された特定のキーである第１キーを押下することによって、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態間を順次遷移させることができるため、簡単な操作によって所望する状態を選択することができるので、利便性良好に且つ適正なタイミングで電源を遮断することができるのである。
【００２４】
また、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態の内、どの状態であるかがモニタに表示されるので、更に利便性良好に且つ適正なタイミングで電源を遮断することができる。
【００２５】
すなわち、ユーザは、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態の内、どの状態であるかを、モニタを介して視認することができるので、更に利便性良好に且つ適正なタイミングで電源を遮断することができるのである。
【００２６】
更に、外部からの操作入力が受け付けられて、受け付けられた操作入力に基づいて、遮断時間が設定されるため、更に適正なタイミングで電源を遮断することができる。すなわち、ユーザが所望する遮断時間に設定することができるので、更に適正なタイミングで電源を遮断することができるのである。
【００２７】
加えて、リモートコントローラに配設された特定のキーである第２キーに対応する操作信号が受け付けられる度に、時間記憶手段に格納された複数の時間情報の中から、順次１の時間情報が読み出され、読み出された１の時間に遮断時間が設定されるため、遮断時間を利便性良好に設定することができる。
【００２８】
また、電源を遮断する機能の３つの状態（＝放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態）間を遷移させる場合に押下される第１キー及び遮断時間を設定する場合に押下される第２キーが、リモートコントローラに配設された１のキーに設定されているため、更に利便性良好に電源を遮断することができる。
【００２９】
請求項２に記載の放送受信装置によれば、チャンネル毎に受信可能な番組の開始時刻、終了時刻を含む番組情報が取得され、取得された番組情報が番組記憶手段に格納される。そして、外部からの操作入力が受け付けられて、受け付けられた操作入力に基づいて、モニタに出力するべく選択されているチャンネルにおいて放送中の番組の終了時刻に到達したか否かが判定され、終了時刻に到達したと判定された場合に、該放送受信装置の電源が遮断されるため、適正なタイミングで電源を遮断することができる。
【００３０】
すなわち、モニタに出力するべく選択されているチャンネルにおいて放送中の番組の終了時刻に到達したか否かが判定され、終了時刻に到達したと判定された場合に、該放送受信装置の電源が遮断されるため、視聴中の番組の終了時刻に電源が遮断されるので、適正なタイミングで電源を遮断することができるのである。
【００３１】
請求項３に記載の放送受信装置によれば、チャンネルが変更されたと判定される度に、変更後のチャンネルにおいて放送中の番組の終了時刻が取得され、その終了時刻に到達したと判定された場合に、該放送受信装置の電源が遮断されるため、適正なタイミングで電源を遮断することができる。
【００３２】
すなわち、チャンネルが変更された場合であっても、変更後のチャンネルにおいて放送中の番組の終了時刻が取得され、その終了時刻に到達したと判定された場合に、該放送受信装置の電源が遮断されるので、適正なタイミングで電源を遮断することができるのである。
【００３３】
請求項４に記載の放送受信装置によれば、予め設定された遮断時間が経過したか否かが判定され、遮断時間が経過したと判定された場合に、該放送受信装置の電源を遮断する機能を有し、外部からの操作入力が受け付けて、受け付けられた操作入力に基づいて、放送中の番組の終了時刻に電源を遮断する機能、及び、遮断時間が経過した場合に電源を遮断する機能の少なくともいずれか一方の機能の動作が禁止されるため、更に適正なタイミングで電源を遮断することができる。
【００３４】
すなわち、放送中の番組の終了時刻に電源を遮断する機能、及び、遮断時間が経過した場合に電源を遮断する機能の少なくともいずれか一方の機能の動作が禁止されるため、ユーザの所望するタイミングで電源を遮断することが可能となるので、更に適正なタイミングで電源を遮断することができるのである。
【００３５】
例えば、視聴者が子供である場合に、親等が予め設定された遮断時間の経過後に電源を遮断したい場合には、遮断時間が経過した場合に電源を遮断する機能を禁止しない設定（＝放送中の番組の終了時刻に電源を遮断する機能のみを禁止する設定）としておくことができる。また、視聴者が自らの操作入力で電源を遮断することを所望する場合には、放送中の番組の終了時刻に電源を遮断する機能、及び、遮断時間が経過した場合に電源を遮断する機能の両方の動作を禁止しておくことができる。
【００３６】
請求項５に記載の放送受信装置によれば、リモートコントローラに配設された特定のキーである第１キーに対応する操作信号が受け付けられる度に、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態間を順次遷移されるため、利便性良好に且つ適正なタイミングで電源を遮断することができる。
【００３７】
すなわち、ユーザは、リモートコントローラに配設された特定のキーである第１キーを押下することによって、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態間を順次遷移させることができるため、簡単な操作によって所望する状態を選択することができるので、利便性良好に且つ適正なタイミングで電源を遮断することができるのである。
【００３８】
請求項６に記載の放送受信装置によれば、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態の内、どの状態であるかがモニタに表示されるので、更に利便性良好に且つ適正なタイミングで電源を遮断することができる。
【００３９】
すなわち、ユーザは、放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態、の３つの状態の内、どの状態であるかを、モニタを介して視認することができるので、更に利便性良好に且つ適正なタイミングで電源を遮断することができるのである。
【００４０】
請求項７に記載の放送受信装置によれば、外部からの操作入力が受け付けられて、受け付けられた操作入力に基づいて、遮断時間が設定されるため、更に適正なタイミングで電源を遮断することができる。すなわち、ユーザが所望する遮断時間に設定することができるので、更に適正なタイミングで電源を遮断することができるのである。
【００４１】
請求項８に記載の放送受信装置によれば、リモートコントローラに配設された特定のキーである第２キーに対応する操作信号が受け付けられる度に、時間記憶手段に格納された複数の時間情報の中から、順次１の時間情報が読み出され、読み出された１の時間に遮断時間が設定されるため、遮断時間を利便性良好に設定することができる。
【００４２】
請求項９に記載の放送受信装置によれば、電源を遮断する機能の３つの状態（＝放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態）間を遷移させる場合に押下される第１キー及び遮断時間を設定する場合に押下される第２キーが、リモートコントローラに配設された１のキーに設定されているため、更に利便性良好に電源を遮断することができる。
【発明を実施するための最良の形態】
【００４３】
以下に本発明の実施形態を、図面を参照しながら説明する。図２は、本発明に係るデジタル放送受信機１の構成の一例を示すブロック図である。デジタル放送受信機１（放送受信装置に相当する）は、図２に示すリモートコントローラ（＝Ｒｅｍｏｔｅｃｏｎｔｒｏｌｌｅｒ：以下、「リモコン」という）２と赤外線通信を介して通信可能に接続されている。
【００４４】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００４５】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報、番組情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００４６】
操作部１４は、電源のＯＮ、ＯＦＦ操作、選局等の各種操作を受け付けるものである。受信部１５（番組取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００４７】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００４８】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００４９】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００５０】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００５１】
赤外線通信部１９は、リモコン２からの電源のＯＮ、ＯＦＦ操作、選局、デジタル放送受信機１の各種設定（視聴制限設定等）等の各種操作を受け付けるものである。
【００５２】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００５３】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、番組情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００５４】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００５５】
図２は、リモコン２の外観の一例を示す図である。リモコン２（変更判定手段の一部、時刻取得手段の一部、タイマ設定手段の一部、及び、禁止手段の一部に相当する）は、ユーザからの操作入力を受け付けて、操作入力に対応する赤外線信号を生成して、デジタル放送受信機１に対して出力するものであって、赤外線信号出力部２１、パワーキー２２、テンキー２３、スリープキー２４、及び、チェンネルキー２５を備えている。赤外線信号出力部２１は、ユーザによって押下されたキーに対応する操作信号を生成し、赤外線信号に変換してデジタル放送受信機１に対して送信するものである。
【００５６】
パワーキー２２は、電源を投入（＝ＯＮ）、又は、遮断（＝ＯＦＦ）する場合に押下されるキーである。テンキー２３は、チェンネル番号等の数字を入力する場合に押下されるキーである。スリープキー２４（第１キー及び第２キーに相当する）は、電源を遮断する機能を設定する場合に押下されるキーである。チェンネルキー２５は、予め設定された順序でチャンネルを設定する場合に押下されるキーである。
【００５７】
図３は、本発明に係るデジタル放送受信機１の主要部の構成の一例を示すブロック図である。デジタル放送受信機１のＭＰＵ１１は、機能的に、番組取得部１１１、変更判定部１１２、時刻取得部１１３、第１遮断部１１４、タイマ設定部１１５、第２遮断部１１６、禁止部１１７、及び、表示制御部１１８を備えている。また、ＲＡＭ１２は、機能的に、番組記憶部１２１及び時間記憶部１２２を備えている。
【００５８】
ここでは、ＭＰＵ１１が、図１に示すＲＯＭ１３等に予め格納された制御プログラムを読み出して実行することにより、番組取得部１１１、変更判定部１１２、時刻取得部１１３、第１遮断部１１４、タイマ設定部１１５、第２遮断部１１６、禁止部１１７、表示制御部１１８等の機能部として機能すると共に、ＲＡＭ１２を、番組記憶部１２１、時間記憶部１２２等の機能部として機能させるものである。
【００５９】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００６０】
番組記憶部１２１（番組記憶手段に相当する）は、番組取得部１１１によって取得され、チャンネル毎に受信可能な番組の開始時刻、終了時刻を含む番組情報を格納するものである。
【００６１】
時間記憶部１２２（時間記憶手段に相当する）は、タイマ設定部１１５によって、電源を遮断するタイミングを設定するための遮断時間として読み出される複数の時間情報を格納するものである。ここでは、例えば、時間記憶部１２２に、予め設定された遮断時間として、３０分と６０分とが格納されている場合について説明する。
【００６２】
番組取得部１１１（番組取得手段の一部に相当する）は、受信部１５を介して、チャンネル毎に受信可能な番組の開始時刻、終了時刻を含む番組情報を取得すると共に、取得された番組情報を番組記憶部１２１に格納するものである。なお、ここでは、番組取得部１１１は、受信部１５を介して、ＥＰＧ（Ｅｌｅｃｔｒｏｎｉｃ  Ｐｒｏｇｒａｍ  Ｇｕｉｄｅ）情報を取得し、ＥＰＧ情報から番組の開始時刻、終了時刻を含む番組情報を取得するものである。
【００６３】
変更判定部１１２（変更判定手段の一部に相当する）は、リモコン２を介してユーザからの操作入力を受け付けて、受け付けられた操作入力に基づいて、ディスプレイ１８３に出力するべく選択されたチャンネルが変更されたか否かを判定するものである。具体的には、変更判定部１１２は、リモコン２に配設されたテンキー２３（又は、チェンネルキー２５）に対応する操作信号が受け付けられた場合に、チャンネルが変更されたと判定するものである。
【００６４】
時刻取得部１１３（時刻取得手段の一部に相当する）は、リモコン２を介してユーザからの操作入力を受け付けて、受け付けられた操作入力に基づいて、ディスプレイ１８３に出力するべく選択されているチャンネルにおいて放送中の番組の終了時刻を、番組記憶部１２１から読み出すことによって取得するものである。具体的には、禁止部１１７によって第１遮断部１１４及び第２遮断部１１６の動作が禁止されている状態（＝初期状態等）において、時刻取得部１１３は、リモコン２に配設されたスリープキー２４（図２参照）に対応する操作信号を受け付けた場合に、ディスプレイ１８３に出力するべく選択されているチャンネルにおいて放送中の番組の終了時刻を、番組記憶部１２１から読み出すことによって取得するものである。
【００６５】
また、時刻取得部１１３は、変更判定部１１２によってチャンネルが変更されたと判定される度に、変更後のチャンネルにおいて放送中の番組の終了時刻を、番組記憶部１２１から読み出すことによって取得するものである。
【００６６】
第１遮断部１１４（第１電源遮断手段に相当する）は、時刻取得部１１３によって取得された終了時刻に到達したか否かを判定し、終了時刻に到達したと判定された場合に、デジタル放送受信機１の電源を遮断するものである。ただし、第１遮断部１１４は、禁止部１１７によって、その動作が禁止されている場合には、禁止部１１７からの指示に従う（＝デジタル放送受信機１の電源を遮断する動作を実行しない）ものである。
【００６７】
タイマ設定部１１５（タイマ設定手段の一部に相当する）は、リモコン２に配設されたスリープキー２４（図２参照）に対応する操作信号を受け付ける度に、時間記憶部１２２に格納された複数の時間情報の中から、順次１の時間情報を読み出し、読み出された１の時間に電源を遮断する時間である遮断時間を設定するものである。
【００６８】
具体的には、禁止部１１７によって第２遮断部１１６の動作が禁止されている状態（＝第１遮断部１１４のみの動作が可能な状態：図４を用いて後述する状態ＳＴ１）において、タイマ設定部１１５は、リモコン２に配設されたスリープキー２４（図２参照）に対応する操作信号を受け付けた場合に、時間記憶部１２２に格納された複数の時間情報の中から、順次１の時間情報（ここでは、３０分）を読み出し、読み出された１の時間（ここでは、３０分）に電源を遮断する時間である遮断時間を設定するものである。
【００６９】
また、禁止部１１７によって第１遮断部１１４の動作が禁止されている状態（＝第２遮断部１１６のみの動作が可能な状態）であって、且つ、遮断時間が３０分に設定されている状態において、タイマ設定部１１５は、リモコン２に配設されたスリープキー２４（図２参照）に対応する操作信号を受け付けた場合に、時間記憶部１２２に格納された複数の時間情報の中から、順次１の時間情報（ここでは、６０分）を読み出し、読み出された１の時間（ここでは、６０分）に電源を遮断する時間である遮断時間を設定するものである。
【００７０】
第２遮断部１１６（第２電源遮断手段に相当する）は、タイマ設定部１１５によって遮断時間が設定された時点から、タイマ設定部１１５によって設定された遮断時間が経過したか否かを判定し、遮断時間が経過したと判定された場合に、デジタル放送受信機１の電源を遮断するものである。ただし、第２遮断部１１６は、禁止部１１７によって、その動作が禁止されている場合には、禁止部１１７からの指示に従う（＝デジタル放送受信機１の電源を遮断する動作を実行しない）ものである。
【００７１】
禁止部１１７（禁止手段の一部に相当する）は、リモコン２に配設されたスリープキー２４（図２参照）に対応する操作信号を受け付ける度に、第１遮断部１１４及び第２遮断部１１６の動作を禁止する状態（＝初期状態等）、第１遮断部１１４の動作を禁止する状態、及び、第２遮断部１１６の動作を禁止する状態、の３つの状態間を順次遷移させるべく、第１遮断部１１４及び第２遮断部１１６を指示するものである。
【００７２】
具体的には、初期状態（＝電源投入時）においては、第１遮断部１１４及び第２遮断部１１６の動作を禁止する状態（後述する図４の状態ＳＴ０）となっており、禁止部１１７は、リモコン２に配設されたスリープキー２４（図２参照）に対応する操作信号を受け付ける度に、第２遮断部１１６の動作を禁止する状態（＝第１遮断部１１４のみが動作可能な状態：後述する図４の状態ＳＴ１）、第１遮断部１１４の動作を禁止する状態（＝第２遮断部１１４のみが動作可能な状態：後述する図４の状態ＳＴ２、ＳＴ３）、第１遮断部１１４及び第２遮断部１１６の動作を禁止する状態（後述する図４の状態ＳＴ０）、と順次遷移させるべく、第１遮断部１１４及び第２遮断部１１６に対して指示情報を出力するものである。
【００７３】
図４は、デジタル放送受信機１の電源を遮断する機能に関する状態の遷移を説明する状態遷移図である。初期状態（＝電源投入時）においては、第１遮断部１１４及び第２遮断部１１６の動作を禁止する状態ＳＴ０となっている。この状態ＳＴ０において、禁止部１１７によって、リモコン２に配設されたスリープキー２４（図２参照）に対応する操作信号が受け付けられた場合には、第１遮断部１１４のみの動作が可能な状態（＝第２遮断部１１６の動作を禁止する状態）ＳＴ１に遷移される。この状態ＳＴ１では、第１遮断部１１４によって、視聴中の番組の終了時刻に到達したと判定された場合に、デジタル放送受信機１の電源が遮断される。
【００７４】
この状態ＳＴ１において、禁止部１１７及びタイマ設定部１１５によって、リモコン２に配設されたスリープキー２４に対応する操作信号が受け付けられた場合には、禁止部１１７によって、第２遮断部１１６のみの動作が可能な状態（＝第１遮断部１１４の動作を禁止する状態）ＳＴ２に遷移されると共に、タイマ設定部１１５によって、遮断時間が３０分に設定される。この状態ＳＴ２では、第２遮断部１１６によって、タイマ設定部１１５によって遮断時間が設定された時点から遮断時間である３０分が経過したと判定された場合に、デジタル放送受信機１の電源が遮断される。
【００７５】
この状態ＳＴ２において、タイマ設定部１１５によって、リモコン２に配設されたスリープキー２４に対応する操作信号が受け付けられた場合には、タイマ設定部１１５によって、遮断時間が６０分に設定される。この状態ＳＴ３では、第２遮断部１１６によって、タイマ設定部１１５によって遮断時間が設定された時点から遮断時間である６０分が経過したと判定された場合に、デジタル放送受信機１の電源が遮断される。
【００７６】
この状態ＳＴ３において、禁止部１１７によって、リモコン２に配設されたスリープキー２４に対応する操作信号が受け付けられた場合には、第１遮断部１１４及び第２遮断部１１６の動作を禁止する状態ＳＴ０に遷移される。このようにして、禁止部１１７及びタイマ設定部１１５によって、状態ＳＴ０〜ＳＴ３の４つの状態の順にデジタル放送受信機１の電源を遮断する機能に関する状態が遷移される。
【００７７】
再び、図３を用いて、デジタル放送受信機１の主要部の構成について説明する。表示制御部１１８（表示制御手段に相当する）は、禁止部１１７が、第１遮断部１１４及び第２遮断部１１６の動作を禁止する状態（＝図４に示す状態ＳＴ０）、第１遮断部１１４の動作を禁止する状態（＝図４に示す状態ＳＴ２、状態ＳＴ３）、及び、第２遮断部１１６の動作を禁止する状態（＝図４に示す状態ＳＴ１）、の３つの状態の内、どの状態であるかをディスプレイ１８３に表示するものである。
【００７８】
例えば、図４に示す状態ＳＴ０から状態ＳＴ１に遷移された場合には、表示制御部１１８は、ディスプレイ１８３に、所定期間（例えば、１０秒間）だけＯＳＤ（オンスクリーンディスプレイ）として、「この番組の終了時に電源がＯＦＦされます」とのメッセージを表示するものである。また、図４に示す状態ＳＴ１から状態ＳＴ２に遷移された場合には、表示制御部１１８は、ディスプレイ１８３に、所定期間（例えば、１０秒間）だけＯＳＤとして、「３０分後に電源がＯＦＦされます」とのメッセージを表示するものである。更に、図４に示す状態ＳＴ２から状態ＳＴ３に遷移された場合には、表示制御部１１８は、ディスプレイ１８３に、所定期間（例えば、１０秒間）だけＯＳＤとして、「６０分後に電源がＯＦＦされます」とのメッセージを表示するものである。加えて、図４に示す状態ＳＴ３から状態ＳＴ０に遷移された場合には、表示制御部１１８は、ディスプレイ１８３に、所定期間（例えば、１０秒間）だけＯＳＤとして、「電源のＯＦＦ設定が解除されました」とのメッセージを表示するものである。
【００７９】
図７は、デジタル放送受信機１（主にＭＰＵ１１）の動作の一例を示すフローチャートである。なお、ここでは、便宜上、番組取得部１１１によって予め受信部１５を介してＥＰＧが受信され、受信されたＥＰＧに基づいて番組情報が取得されて番組記憶部１２１に格納されている場合について説明する。また、禁止部１１７によって図４に示す第１遮断部１１４のみが動作可能な状態ＳＴ１に設定されているものとする。
【００８０】
まず、変更判定部１１２によって、チャンネルが変更されたか否かの判定が行われる（Ｓ１０１）。チャンネルが変更されていないと判定された場合（Ｓ１０１でＮＯ）には、処理が待機状態とされる。チャンネルが変更されたと判定された場合（Ｓ１０１でＹＥＳ）には、時刻取得部１１３によって、変更後のチャンネルにおいて放送中の番組の終了時刻が取得される（Ｓ１０３）。
【００８１】
そして、第１遮断部１１４によって、番組の終了時刻に到達したか否かの判定が行われる（Ｓ１０５）。番組の終了時刻に到達していないと判定された場合（Ｓ１０５でＮＯ）には、処理がステップＳ１０１に戻され、ステップＳ１０１以降の処理が繰り返し実行される。番組の終了時刻に到達したと判定された場合（Ｓ１０５でＹＥＳ）には、第１遮断部１１４によって、デジタル放送受信機１の電源が遮断され（Ｓ１０７）、処理が終了される。
【００８２】
このようにして、チャンネル毎に受信可能な番組の開始時刻、終了時刻を含む番組情報が取得され、取得された番組情報が番組記憶部１２１に格納される。そして、リモコン２に配設されたスリープキー２４に対応する操作信号が受け付けられた場合に、ディスプレイ１８３に出力するべく選択されているチャンネルにおいて放送中の番組の終了時刻に到達したか否かが判定され、終了時刻に到達したと判定された場合に、デジタル放送受信機１の電源が遮断されるため、適正なタイミングで電源を遮断することができる。
【００８３】
すなわち、ディスプレイ１８３に出力するべく選択されているチャンネルにおいて放送中の番組の終了時刻に到達したか否かが判定され、終了時刻に到達したと判定された場合に、デジタル放送受信機１の電源が遮断されるため、視聴中の番組の終了時刻に電源が遮断されるので、適正なタイミングで電源を遮断することができるのである。
【００８４】
また、チャンネルが変更されたと判定される度に、変更後のチャンネルにおいて放送中の番組の終了時刻が取得され、その終了時刻に到達したと判定された場合に、デジタル放送受信機１の電源が遮断されるため、適正なタイミングで電源を遮断することができる。
【００８５】
すなわち、チャンネルが変更された場合であっても、変更後のチャンネルにおいて放送中の番組の終了時刻が取得され、その終了時刻に到達したと判定された場合に、デジタル放送受信機１の電源が遮断されるので、適正なタイミングで電源を遮断することができるのである。
【００８６】
更に、予め設定された遮断時間（ここでは、３０分又は６０分）が経過したか否かが判定され、遮断時間が経過したと判定された場合に、デジタル放送受信機１の電源を遮断する機能を有し、リモコン２に配設されたスリープキー２４に対応する操作信号が受け付けられた場合に、放送中の番組の終了時刻に電源を遮断する機能、及び、遮断時間が経過した場合に電源を遮断する機能の少なくともいずれか一方の機能の動作が禁止されるため、更に適正なタイミングで電源を遮断することができる。
【００８７】
すなわち、放送中の番組の終了時刻に電源を遮断する機能、及び、遮断時間が経過した場合に電源を遮断する機能の少なくともいずれか一方の機能の動作が禁止されるため、ユーザの所望するタイミングで電源を遮断することが可能となるので、更に適正なタイミングで電源を遮断することができるのである。
【００８８】
例えば、視聴者が子供である場合に、親等が予め設定された遮断時間の経過後に電源を遮断したい場合には、遮断時間が経過した場合に電源を遮断する機能を禁止しない設定（＝放送中の番組の終了時刻に電源を遮断する機能のみを禁止する設定：図４に示す状態ＳＴ２、ＳＴ３に対応する設定）としておくことができる。また、視聴者が自らの操作入力で電源を遮断することを所望する場合には、放送中の番組の終了時刻に電源を遮断する機能、及び、遮断時間が経過した場合に電源を遮断する機能の両方の動作を禁止しておく（図４に示す状態ＳＴ０にしておく）ことができる。
【００８９】
加えて、リモコン２に配設されたスリープキー２４に対応する操作信号が受け付けられる度に、放送中の番組の終了時刻に電源を遮断する機能及び遮断時間が経過した場合に電源を遮断する機能の動作を禁止する状態（図４に示す状態ＳＴ０）、放送中の番組の終了時刻に電源を遮断する機能の動作を禁止する状態（図４に示す状態ＳＴ２、ＳＴ３）、及び、遮断時間が経過した場合に電源を遮断する機能の動作を禁止する状態（図４に示す状態ＳＴ１）、の３つの状態間を順次遷移されるため、利便性良好に且つ適正なタイミングで電源を遮断することができる。
【００９０】
すなわち、ユーザは、リモコン２に配設されたスリープキー２４を押下することによって、放送中の番組の終了時刻に電源を遮断する機能及び遮断時間が経過した場合に電源を遮断する機能の動作を禁止する状態（図４に示す状態ＳＴ０）、放送中の番組の終了時刻に電源を遮断する機能の動作を禁止する状態（図４に示す状態ＳＴ２、ＳＴ３）、及び、遮断時間が経過した場合に電源を遮断する機能の動作を禁止する状態（図４に示す状態ＳＴ１）、の３つの状態間を順次遷移させることができるため、簡単な操作によって所望する状態を選択することができるので、利便性良好に且つ適正なタイミングで電源を遮断することができるのである。
【００９１】
また、放送中の番組の終了時刻に電源を遮断する機能及び遮断時間が経過した場合に電源を遮断する機能の動作を禁止する状態（図４に示す状態ＳＴ０）、放送中の番組の終了時刻に電源を遮断する機能の動作を禁止する状態（図４に示す状態ＳＴ２、ＳＴ３）、及び、遮断時間が経過した場合に電源を遮断する機能の動作を禁止する状態（図４に示す状態ＳＴ１）、の３つの状態の内、どの状態であるかがディスプレイ１８３に表示されるので、更に利便性良好に且つ適正なタイミングで電源を遮断することができる。
【００９２】
すなわち、ユーザは、放送中の番組の終了時刻に電源を遮断する機能及び遮断時間が経過した場合に電源を遮断する機能の動作を禁止する状態（図４に示す状態ＳＴ０）、放送中の番組の終了時刻に電源を遮断する機能の動作を禁止する状態（図４に示す状態ＳＴ２、ＳＴ３）、及び、遮断時間が経過した場合に電源を遮断する機能の動作を禁止する状態（図４に示す状態ＳＴ１）、の３つの状態の内、どの状態であるかを、ディスプレイ１８３を介して視認することができるので、更に利便性良好に且つ適正なタイミングで電源を遮断することができるのである。
【００９３】
更に、リモコン２に配設されたスリープキー２４に対応する操作信号が受け付けられた場合に、遮断時間が設定されるため、更に適正なタイミングで電源を遮断することができる。すなわち、ユーザが所望する遮断時間に設定することができるので、更に適正なタイミングで電源を遮断することができるのである。
【００９４】
加えて、リモコン２に配設されたスリープキー２４に対応する操作信号が受け付けられる度に、時間記憶部１２２に格納された複数（ここでは、２つ）の時間情報（ここでは、３０分、６０分）の中から、順次１の時間情報が読み出され、読み出された１の時間に遮断時間が設定されるため、遮断時間を利便性良好に設定することができる。
【００９５】
また、電源を遮断する機能の３つの状態（＝放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態）間を遷移させる場合に押下されるキー、及び、遮断時間を設定する場合に押下されるキーが、リモコン２に配設された１のキー（ここでは、スリープキー２４）に設定されているため、更に利便性良好に電源を遮断することができる。
【００９６】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力するであればよい。例えば、放送受信装置が、アナログ放送を受信する形態でもよいし、アナログ放送及びデジタル放送を受信する形態でもよい。ただし、番組情報が取得可能な形態である必要がある。
【００９７】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００９８】
（Ｃ）本実施形態では、変更判定部１１２、時刻取得部１１３、タイマ設定部１１５及び禁止部１１７が、リモコン２を介してユーザからの操作入力を受け付ける場合について説明したが、変更判定部１１２、時刻取得部１１３、タイマ設定部１１５及び禁止部１１７の少なくとも１の機能部が、操作部１４を介してユーザからの操作入力を受け付ける形態でもよい。
【００９９】
（Ｄ）本実施形態では、電源を遮断する機能の３つの状態（＝放送中の番組の終了時刻に電源を遮断する機能及び遮断時間が経過した場合に電源を遮断する機能の動作を禁止する状態、放送中の番組の終了時刻に電源を遮断する機能の動作を禁止する状態、及び、遮断時間が経過した場合に電源を遮断する機能の動作を禁止する状態）間を遷移させる場合に押下される第１キー及び遮断時間を設定する場合に押下される第２キーが、リモコン２に配設された１のキー（ここでは、スリープキー２４）である場合について説明したが、第１キーと第２キーとが、リモコン２に配設された相異なるキーである形態でもよい。
【０１００】
（Ｅ）本実施形態では、時間記憶部１２２に、予め設定された複数の遮断時間（ここでは、３０分と６０分と）が格納されている場合について説明したが、リモコン２を介してユーザからの操作入力を受け付けて、受け付けられた操作入力に基づいて遮断時間を設定し、設定された遮断時間を時間記憶部１２２に格納する形態でもよい。この場合には、利便性を更に向上することができる。
【０１０１】
（Ｆ）本実施形態では、禁止部１１７が、第１遮断部１１４及び第２遮断部１１６の動作を禁止する状態、第１遮断部１１４の動作を禁止する状態、及び、第２遮断部１１６の動作を禁止する状態、の３つの状態間を順次遷移させるべく、第１遮断部１１４及び第２遮断部１１６を指示する場合について説明したが、禁止部１１７が、上記３つの状態に加えて、第１遮断部１１４及び第２遮断部１１６の動作を禁止しない状態を含む４つの状態の間を順次遷移させるべく、第１遮断部１１４及び第２遮断部１１６を指示する形態でもよい。この場合には、利便性を更に向上することができる。
【０１０２】
（Ｇ）本実施形態では、禁止部１１７が、第１遮断部１１４及び第２遮断部１１６の動作を禁止する状態、第１遮断部１１４の動作を禁止する状態、及び、第２遮断部１１６の動作を禁止する状態、の３つの状態間を順次遷移させるべく、第１遮断部１１４及び第２遮断部１１６を指示する場合について説明したが、禁止部１１７が、リモコン２を介してユーザからの操作入力を受け付けて、受け付けられた操作入力に基づいて、第１遮断部１１４及び第２遮断部１１６の動作を禁止する状態、第１遮断部１１４の動作を禁止する状態、及び、第２遮断部１１６の動作を禁止する状態、の３つの状態のいずれか１の状態に設定するべく第１遮断部１１４及び第２遮断部１１６を指示する形態でもよい。
【０１０３】
例えば、上記３つの状態にそれぞれ対応するキー（ここでは、状態設定キーという）がリモコン２に配設されており、状態設定キーに対応する操作信号が受け付けられた場合に、禁止部１１７が、上記３つの状態の内、受け付けられた操作信号に対応する１の状態に設定するべく第１遮断部１１４及び第２遮断部１１６を指示する形態でもよい。この場合には、更に操作を簡略化することができる。
【図面の簡単な説明】
【０１０４】
【図１】は、本発明に係るデジタル放送受信機の一例を示すブロック図である。
【図２】は、リモコンの外観の一例を示す図である。
【図３】は、本発明に係るデジタル放送受信機の主要部の構成の一例を示すブロック図である。
【図４】は、デジタル放送受信機の電源を遮断する機能に関する状態の遷移を説明する状態遷移図である。
【図５】は、デジタル放送受信機（主にＭＰＵ）の動作の一例を示すフローチャートである。
【符号の説明】
【０１０５】
１    デジタル放送受信機（放送受信装置）
１１    ＭＰＵ
１１１    番組取得部（番組取得手段の一部）
１１２    変更判定部（変更判定手段の一部）
１１３    時刻取得部（時刻取得手段の一部）
１１４    第１遮断部（第１電源遮断手段）
１１５    タイマ設定部（タイマ設定手段の一部）
１１６    第２遮断部（第２電源遮断手段）
１１７    禁止部（禁止手段の一部）
１１８    表示制御部（表示制御手段）
１２    ＲＡＭ
１２１    番組記憶部（番組記憶手段）
１２２    時間記憶部（時間記憶手段）
１４    操作部
１５    受信部（番組取得手段の一部）
１８    画像出力部
１８３    ディスプレイ（モニタ）
２    リモコン（変更判定手段の一部、時刻取得手段の一部、タイマ設定手段の一部、及び、禁止手段の一部）
２２    パワーキー
２３    テンキー
２４    スリープキー（第１キー、第２キー）
２５    チェンネルキー
【図１】
2008141458.tif 000003
【図２】
2008141458.tif 000004
【図３】
2008141458.tif 000005
【図４】
2008141458.tif 000006
【図５】
2008141458.tif 000007